(57)【要約】  【課題】家具転倒防止具１において、強度を高め、地震時に外れにくく確実に機能する安定性を高めたものを提供すること。【解決手段】家具転倒防止具１は、家具２の上端面上に設置される下側逆門形体３と、天井４の面に当接状に設置される上側門形体５と、下側逆門形体３と上側門形体５とを連結する１対の連結体６とを有し、これらは、夫々、アルミダイキャスト品で構成されている。  各連結体６は、連結用下側パイプ１５と、連結用上側パイプ１６と、連結用下側パイプ１５と連結用上側パイプ１６とを突っ張り側へ締結可能に連結する回動操作部材１７とを有し、これらは、夫々、アルミダイキャスト品で構成されている。【選択図】図２
0003110162.tif 000002
【実用新案登録請求の範囲】
【請求項１】
家具と天井との間に着脱可能に装着され地震時の家具転倒防止具において、
家具の上端面上に設置される下側逆門形体と、天井面に当接状に設置される上側門形体と、下側逆門形体と上側門形体とを連結する１対の連結体とを備え、
前記下側逆門形体は、基部ブロックとこの基部ブロックから一体的に立ち上がる１対の下側パイプ体とを有するアルミダイキャスト品で構成され、
前記上側門形体は、頂部ブロックとこの頂部ブロックから一体的に立ち下がる１対の上側パイプ体であって１対の下側パイプ体に対向する１対の上側パイプ体とを有するアルミダイキャスト品で構成され、
各連結体は、下側パイプ体に挿入又は外装されて第１高さ調節機構を介して高さ調節した状態で連結される連結用下側パイプと、上側パイプ体に挿入又は外装されて第２高さ調節機構を介して高さ調節した状態で連結される連結用上側パイプと、その連結用下側パイプと連結用上側パイプとを突っ張り側へ締結可能に連結する回動操作部材とを有し、
前記連結用下側パイプは第１ネジ部を有し、前記連結用上側パイプは前記第１ネジ部と逆ネジの第２ネジ部を有し、前記回動操作部材の下部は第１ネジ部に螺合されると共に回動操作部材の上部は第２ネジ部に螺合されたことを特徴とする家具転倒防止具。
【請求項２】
前記第１高さ調節機構は、下側パイプ体の異なる高さ位置に形成された複数のピン穴と、連結用下側パイプに形成されたピン穴と、下側パイプ体のピン穴と連結用下側パイプのピン穴とに装着されるピン部材とを有し、
前記第２高さ調節機構は、上側パイプ体の異なる高さ位置に形成された複数のピン穴と、連結用上側パイプに形成されたピン穴と、上側パイプ体のピン穴と連結用上側パイプのピン穴とに装着されるピン部材とを有することを特徴とする請求項１に記載の家具転倒防止具。
【請求項３】
前記基部ブロックの下端面に下方へ突出する先端が尖った高さの小さな複数の突起部を設け、前記頂部ブロックの上端面に上方へ突出する先端が尖った高さの小さな複数の突起部を設けたことを特徴とする請求項１又は２に記載の家具転倒防止具。
【請求項４】
前記連結体の連結用下パイプと連結用上パイプと回動操作部材は、夫々、アルミダイキャスト品で構成されたことを特徴とする請求項１〜３の何れかに記載の家具転倒防止具。
【考案の詳細な説明】
【技術分野】
【０００１】
本考案は、家具と天井との間に着脱可能に装着され、地震時に家具の転倒を防止する家具転倒防止具に関する。
【背景技術】
【０００２】
従来、地震時の揺れによるタンスや本箱などの家具の転倒を防止するため、家具と天井との間に装着して家具の転倒を防止する家具転倒防止具が実用に供されている。
この種の家具転倒防止具として、例えば、上下方向に伸縮させてからロック可能な合成樹脂製の伸縮パイプ体を主体とするものが採用されている。
【０００３】
特許文献１に記載の家具転倒防止具は、家具の上端面上に配置される合成樹脂製の家具押え台と、この家具押え台から立ち上がる金属製の内側パイプと、この内側パイプに摺動自在に外装された金属製の外側パイプと、この外側パイプの上端に設けられた合成樹脂製の天井当接台と、外側パイプに付設されて内側パイプが挿通する板状の停止リングであって外側パイプに対して内側パイプをロックする機能のある停止リングとを有する。
【０００４】
停止リングの一端には、外側パイプの筒壁のスリットに回動可能に支持される突片と、外側パイプの筒壁の開口部から突出する手動操作用の舌片とを有し、この停止リングを手動で操作して水平姿勢にするとロック解除状態となり、また、停止リングを傾斜姿勢にするとロック状態となる。停止リングをロック状態に付勢する圧縮コイルスプリングが、外側パイプ内に設けられている。家具の上にセットする際には、停止リングをロック解除状態にし、内側パイプに対する外側パイプの高さ位置を調節後、停止リングをロック状態にする。
【０００５】
特許文献２には、１対の高さ調節可能な直立パイプ体と、これら直立パイプ体を連結する水平パイプ体を主体とする家具転倒防止具が開示されている。直立パイプ体は、下方に位置する内側パイプ体とこの内側パイプ体に摺動自在に外嵌された上側の外側パイプ体と、外側パイプ体に対して内側パイプ体を伸縮させて高さ（長さ）調節してから外側パイプ体に内側パイプ体を固定する回動操作用のノブ付きの固定機構と、内側パイプ体の下端に設けられた下端当接部と、外側パイプ体の上端に設けられた上端当接部と、内側パイプ体に対する下端当接部の高さ位置を微調節可能なネジ式締結機構とを有する。
【０００６】
下端当接部には、家具の上端の左右の角部に係合させるＬ形の角縁係止部が設けられている。水平パイプ体は、外側パイプと、内側パイプと、外側パイプに対して内側パイプを固定解除可能に固定する回動操作用のノブ付きの固定機構を有する。下端当接部の下面と上端当接部の上面には、滑り止め板が設けられている。
【０００７】
家具の上にセットする際には、水平パイプ体の長さを家具の左右幅に適するように調節し、ノブ付きの固定機構を介して直立パイプ体の全高（長さ）を、家具上端から天井までの高さに適合するよう調節してから、１対の下端当接部の角縁係止部を家具の左右端部の角縁に係合する状態にセットし、その後１対のネジ式締結機構を順次締結して、直立パイプ体を突っ張り状態にする。
【０００８】
【特許文献１】特開平８−２４２９５４号公報
【特許文献２】特開平８−２１４９６９号公報
【考案の開示】
【考案が解決しようとする課題】
【０００９】
従来の一般的な合成樹脂製の伸縮パイプ体を主体とする家具転倒防止具は、合成樹脂製であるため十分な強度を確保しにくく、激しい地震時に所期の転倒防止機能が得られる保証がない。パイプ体の長さ調節後にロックするロック機構も簡単なノブ付き締結ボルトによって、一方のパイプ体に対して他方のパイプ体を締め付ける構造では、強度を確保しにくい。しかも、伸縮パイプ体を１本ずつセットするため、地震時に伸縮パイプ体が倒れて脱落しまう可能性も高い。
【００１０】
特許文献１の家具転倒防止具は、全体の部品数が多く、構造が複雑で、製作費が高価になる。しかも、家具押え台や天井当接台が大形のものもあるため、金属製にする場合も合成樹脂製にする場合も製作費が高価になる。また、外観の意匠性も高くないので、高級な家具の上に使用するのに適していない。
【００１１】
特許文献２の家具転倒防止具は、１対の直立パイプ体を水平パイプ体で連結した構造であるため、地震時の安定性は高くなっているが、直立パイプ体におけるノブ付きの固定機構は、外側パイプ体に設けた１つのノブ付きのボルトにより、内側パイプを締め付けその摩擦力により外側パイプ体と内側パイプ体を固定する構造であるため、地震時にボルト先端でのスリップが発生して転倒防止機能が損なわれるおそれがある。
【００１２】
しかも、水平パイプ体が家具の全幅に亙って家具の上面よりも高い位置に配置されるため、家具の上に物品を載置することが難しく、家具の上方空間の活用効率が低下するうえ、外観の意匠性も高くないので、高級な家具の上に使用するのに適していない。
【００１３】
本考案の目的は、家具転倒防止具において、強度を高めること、地震時に外れにくく確実に機能する安定性を高めること、外観に表れる意匠性を高めること、セットする際の操作性を高めること、などである。
【課題を解決するための手段】
【００１４】
請求項１の家具転倒防止具は、家具と天井との間に着脱可能に装着され地震時の家具転倒防止具において、家具の上端面上に設置される下側逆門形体と、天井面に当接状に設置される上側門形体と、下側逆門形体と上側門形体とを連結する１対の連結体とを備え、
下側逆門形体は、基部ブロックとこの基部ブロックから一体的に立ち上がる１対の下側パイプ体とを有するアルミダイキャスト品で構成され、上側門形体は、頂部ブロックとこの頂部ブロックから一体的に立ち下がる１対の上側パイプ体であって１対の下側パイプ体に対向する１対の上側パイプ体とを有するアルミダイキャスト品で構成され、各連結体は、下側パイプ体に挿入又は外装されて第１高さ調節機構を介して高さ調節した状態で連結される連結用下側パイプと、上側パイプ体に挿入又は外装されて第２高さ調節機構を介して高さ調節した状態で連結される連結用上側パイプと、その連結用下側パイプと連結用上側パイプとを突っ張り側へ締結可能に連結する回動操作部材とを有し、連結用下側パイプは第１ネジ部を有し、連結用上側パイプは前記第１ネジ部と逆ネジの第２ネジ部を有し、回動操作部材の下部は第１ネジ部に螺合されると共に回動操作部材の上部は第２ネジ部に螺合されたものである。
【００１５】
この家具転倒防止具をセットする場合、家具の上端の左部と右部に１対の家具転倒防止具を対面状に配置する。但し、小形の家具の場合は、１つの家具転倒防止具を使用することもあるし、大形の家具の場合は、３つ以上の家具転倒防止具を使用することもある。
家具の上端から天井までの高さ距離に応じて、各家具転倒防止具を高さ調節する際には、第１，第２高さ調節機構の何れか片方又は両方を調節することで、大まかに高さ調節する。その後、１対の連結体の２つの回動操作部材を手でほぼ均等に回すことで、１対の下側パイプ体と連結体と上側パイプ体とが突っ張り状態になるまで締め付ける。
【００１６】
請求項２の家具転倒防止具は、請求項１の考案において、第１高さ調節機構は、下側パイプ体の異なる高さ位置に形成された複数のピン穴と、連結用下側パイプに形成されたピン穴と、下側パイプ体のピン穴と連結用下側パイプのピン穴とに装着されるピン部とを有し、第２高さ調節機構は、上側パイプ体の異なる高さ位置に形成された複数のピン穴と、連結用上側パイプに形成されたピン穴と、上側パイプ体のピン穴と連結用上側パイプのピン穴とに装着されるピン部材とを有するものである。
【００１７】
請求項３の家具転倒防止具は、請求項１又は２の考案において、基部ブロックの下端面に下方へ突出する先端が尖った高さの小さな複数の突起部を設け、頂部ブロックの上端面に上方へ突出する先端が尖った高さの小さな複数の突起部を設けたものである。
【００１８】
請求項４の家具転倒防止具は、請求項１〜３の何れかの考案において、連結体の連結用下側パイプと連結用上側パイプと回動操作部材は、夫々、アルミダイキャスト品で構成されたものである。
【考案の効果】
【００１９】
請求項１の家具転倒防止具によれば、下側逆門形体は基部ブロックと１対の下側パイプ体とを有し、上側門形体は頂部ブロックと１対の上側パイプ体とを有し、これら１対の下側パイプと１対の上側パイプ体が１対の連結体で連結される構造であるため、強度に優れたものとなり、少なくとも門形の面と平行方向へは倒れないため、転倒防止機能を確実に発揮する安定性に優れたものとなる。
【００２０】
しかも、下側逆門形体と上側門形体が夫々アルミダイキャスト品で構成されるため、基部ブロックと下側パイプ体とを連結する連結強度と、頂部ブロックと上側パイプ体を連結する連結強度などが格段に向上し、材質面からも格段に強度に優れたものとなるうえ、外観に表れる意匠性に優れ、高級な家具にも適用可能なものとなる。
また、回動操作部材の下部は連結用下側パイプの第１ネジ部に螺合し、回動操作部材の上部は連結用上側パイプの第２ネジ部に螺合し、第１ネジ部と第２ネジ部とが逆ネジであるので、回動操作部材を回動操作して突っ張り状態にするときの回動操作量を少なくすることができ、操作性に優れたものとなる。
【００２１】
請求項２の家具転倒防止具によれば、第１高さ調節機構と第２高さ調節機構の何れか片方又は両方により高さ調節することができるため、高さ調節代が大きくなり、種々の高さの家具に適用できる汎用性に優れたものとなる。
【００２２】
請求項３の家具転倒防止具によれば、基部ブロックの下端面に下方へ突出する先端が尖った高さの小さな複数の突起部を設けたため、基部ブロックが家具に対して相対的に移動しにくくなり、また、頂部ブロックの上端面に上方へ突出する先端が尖った高さの小さな複数の突起部を設けたので、頂部ブロックが天井に対して相対的に移動しにくくなるから、地震時にも家具転倒防止具が家具と天井の間にセットされた所期の位置から外れることなとがないから、安定性が高まり、家具転倒防止の機能を確実に発揮する。
【００２３】
請求項４の考案によれば、連結体の連結用下側パイプと連結用上側パイプと回動操作部材は、夫々、アルミダイキャスト品で構成したので、部材強度に優れ、意匠性に優れたものとなる。
【考案を実施するための最良の形態】
【００２４】
本考案の家具転倒防止具は、家具の上端面上に設置される下側逆門形体と、天井面に当接状に設置される上側門形体と、下側逆門形体と上側門形体とを連結する１対の連結体とを備えている。下側逆門形体は、基部ブロックとこの基部ブロックから一体的に立ち上がる１対の下側パイプ体とを有するアルミダイキャスト品で構成されている。上側門形体は、頂部ブロックとこの頂部ブロックから一体的に立ち下がる１対の上側パイプ体であって１対の下側パイプ体に対向する１対の上側パイプ体とを有するアルミダイキャスト品で構成されている。
【００２５】
各連結体は、下側パイプ体に挿入又は外装されて第１高さ調節機構を介して高さ調節した状態で連結される連結用下側パイプと、上側パイプ体に挿入又は外装されて第２高さ調節機構を介して高さ調節した状態で連結される連結用上側パイプと、その連結用下側パイプと連結用上側パイプとを突っ張り側へ締結可能に連結する回動操作部材とを有する。    連結用下側パイプは第１ネジ部を有し、前記連結用上側パイプは前記第１ネジ部と逆ネジの第２ネジ部を有し、前記回動操作部材の下部は第１ネジ部に螺合されると共に回動操作部材の上部は第２ネジ部に螺合されている。
【実施例】
【００２６】
次に、本考案の実施例について図面に基づいて説明する。
図１〜３に示すように、地震時の揺れによる家具２の前方への転倒を防止するため、１対の家具転倒防止具１が、家具２の上面の左右両端部と天井４の間に突っ張り状態に装着される。この家具転倒防止具１は、家具２の上端面上に設置される下側逆門形体３と、天井４の面に当接状に設置される上側門形体５と、下側逆門形体３と上側門形体５とを連結する１対の連結体６とを有するものである。
【００２７】
下側逆門形体３について説明する。
図１，２に示すように、下側逆門形体３は、基部ブロック７と、この基部ブロック７から一体的に立ち上がる１対の下側パイプ体８と、１対の下側パイプ体８を補強する補強板９とを有し、これらがアルミダイキャスト品で一体的に構成されている。
基部ブロック７は、厚肉の直方体状のものであるが、その下面に開口する複数の凹部が形成されて軽量化と材料費の節減が図られている。
【００２８】
使用状態では、基部ブロック７の下端面を家具２の上端面に当接させることになるが、滑り止めのため、基部ブロック７の下端面には、下方へ突出する例えば６つの突起部１０が形成されている。この突起部１０は先端が尖った約２ｍｍ程度の高さの円錐状のものである。
【００２９】
１対の下側パイプ体８は、基部ブロック７の両端付近部分から上向きに一体的に立ち上がっており、下側パイプ体８は、所定の長さ（例えば、１５〜２０ｃｍ）の十分な肉厚のパイプ状に構成されている。補強板９は、１対の下側パイプ体８間に基部ブロック７から立ち上がるように一体的に形成されている。
【００３０】
次に、上側門形体５について説明する。
図１、図２示すように、上側門形体５は、頂部ブロック１１と、１対の上側パイプ体１２と、補強板１３とを有し、これらがアルミダイキャスト品で一体的に構成されている。  頂部ブロック１１は、厚肉の直方体状のものであるが、その上面に開口する複数の凹部が形成されて軽量化と材料費の節減が図られている。
使用状態では、その頂部ブロック１１の上端面が天井４の天井面に当接させることになるが、滑り止めのため、頂部ブロック１１の上端面には、上方へ突出する例えば６つの突起部１４が形成されている。この突起部１４は、上方へ突出する先端が尖った約２ｍｍ程度の高さの円錐状のものである。
【００３１】
１対の上側パイプ体１２は、頂部ブロック１１の両端付近部分から下向きに一体的に立ち下がっており、１対の上側パイプ体１２は１対の下側パイプ体８に対向するように配設され、上側パイプ体１２は、所定の長さ（例えば、１５〜２０ｃｍ）の十分な肉厚のパイプ状に構成されている。補強板１３は、１対の上側パイプ体１２間に頂部ブロック１１から立ち下がるように一体的に形成されている。
【００３２】
次に、１対の連結体６について説明する。
図２〜図４に示すように、各連結体６は、連結用下側パイプ１５と、連結用上側パイプ１６と、連結用下側パイプ１５と連結用上側パイプ１６とを突っ張り側へ締結可能に連結する調整ナット部材１７（これが、回動操作部材に相当する）とを有し、これらは、夫々、アルミダイキャスト品で構成されている。
【００３３】
連結用下側パイプ１５は、下側パイプ体８にガタツキなく挿入可能なパイプに構成され、連結用下側パイプ１５の下部は下側パイプ体８の内部に進退自在に挿通され、後述する第１高さ調節機構１８を介して長さ調節可能に連結されている。                        連結用上側パイプ１６は、上側パイプ体１２にガタツキなく挿入可能なパイプに構成され、連結用上側パイプ１６の上部は上側パイプ体１２の内部に進退自在に挿通され、後述する第２高さ調節機構１９を介して長さ調節可能に連結されている。                  
【００３４】
連結用下側パイプ１５の上端側所定長さ部分には、外周面に右ネジの第１ネジ部２０が形成され、連結用上側パイプ１６の下端側所定長さ部分には、外周面に左ネジの第２ネジ部２１が形成されている。
調整ナット部材１７は、連結用下側パイプ１５と連結用上側パイプ１６とを連結するもので、調整ナット部材１７の下部に形成した右ネジのネジ穴に連結用下側パイプ１５の第１ネジ部２０が螺合され、調整ナット部材１７の上部に形成した左ネジのネジ穴に連結用上側パイプ１６の第２ネジ部２１が螺合されている。
【００３５】
次に、下側パイプ体８と連結用下側パイプ１５とを連結する第１高さ調節機構１８と、上側パイプ体１２と連結用上側パイプ１６とを連結する第２高さ調節機構１９について説明する。
【００３６】
図４に示すように、第１高さ調節機構１８は、下側パイプ体８と連結用下側パイプ１５の全高（全長）を調節するための機構である。第１高さ調節機構１８は、下側パイプ体８に高さの異なる複数位置（例えば、３ｃｍおきの位置）に貫通状に形成された複数組のピン穴２２と、下側パイプ１５の下端部付近に貫通状に形成された１組のピン穴２３と、選択された１組のピン穴２２と１組のピン穴２３とに装着されるピン部材２４とで構成されている。なお、ピン部材２４については、割れピンでもよい。
【００３７】
第２高さ調節機構１９は、上側パイプ体１２と連結用上側パイプ１６の全高（全長）を調節するための機構である。第２高さ調節機構１９は、上側パイプ体１２に高さの異なる複数位置（例えば、３ｃｍおきの位置）に貫通状に形成された複数組のピン穴２５と、上側パイプ１６の上端部付近に貫通状に形成された１組のピン穴２６と、選択された１組のピン穴２５と１組のピン穴２６とに装着されるピン部材２７とで構成されている。なお、ピン部材２７については、割れピンでもよい。
【００３８】
次に、家具転倒防止具１の作用、効果について説明する。                            地震時の家具２の転倒を防止するために、家具２の左右両端付近部と天井４との間に１対の家具転倒防止具１が装着される。以下に、１組の家具転倒防止具１を家具２と天井４の間に突っ張り状態にセットする場合について説明する。
【００３９】
先ず、各連結体６において、調整ナット部材１７を回動させて、下側パイプ１５と上側パイプ１６とを最も接近させた状態にしておく。次に、家具２と天井４間の寸法を測定し、その寸法に近い高さとなるように、第１，第２調節機構１８，１９を介して高さ調節を行う。この場合、下側のピン部材２４を引き抜いた状態で、下側パイプ１５の下側パイプ体８への挿入長さを調節し、ピン穴２２，２３を合致させてからピン部材２４を装着する。次に、上側のピン部材２７を引き抜いた状態で、上側パイプ１６の上側パイプ体１２への挿入長さを調節し、ピン穴２５，２６を合致させてからピン部材２７を装着する。このように高さ調節した状態では、家具転倒防止具１の全高が前記測定した寸法よりも２，３ｃｍ小さな全高とする。
【００４０】
そこで、家具転倒防止具１を家具の上の端部付近の所定位置に、図１に図示のようにセットし、１対の調整ナット部材１７を、下側パイプ１５と上側パイプ１６とが離隔する方向へ手でほぼ均等に回しながら、家具転倒防止具１の全高を増大させていき、基部ブロック７の６つの突起１０を家具２の上面に食い込ませ、頂部ブロック１１の６つの突起１４を天井４の天井面に食い込ませ、所定の突っ張り状態になるまで、調整ナット部材１７を締め付ける。
【００４１】
地震時に、家具２が前後方向に大きく揺れる場合にも、家具転倒防止具１の前後方向揺れに対する安定性は抜群に高いため、家具転倒防止具１が前後方向へ脱落することはない。また、基部ブロック７の６つの突起１０が家具２の上面に食い込んでおり、頂部ブロック１１の６つの突起１４を天井４の天井面に食い込んでいるため、左右方向へも倒れにくい。
【００４２】
この家具転倒防止具１によれば、下側逆門形体３は基部ブロック７と１対の下側パイプ体８とを有し、上側門形体５は頂部ブロック１１と１対の上側パイプ体１２とを有し、これら１対の下側パイプ１５と１対の上側パイプ１６が１対の連結体６で連結される構造であるため、強度に優れたものとなり、少なくとも門形の面と平行方向へは倒れないため、転倒防止機能を確実に発揮する安定性に優れたものとなる。
【００４３】
しかも、下側逆門形体３と上側門形体５が夫々アルミダイキャスト品で構成されているため、基部ブロック７と下側パイプ体８とを連結する連結強度と、頂部ブロック１１と上側パイプ体１２を連結する連結強度などが格段に向上し、材質面からも格段に強度に優れたものとなるうえ、外観に表れる意匠性に優れ、高級な家具にも適用可能なものとなる。  また、調整ナット部材１７の下部は連結用下側パイプ１５の第１ネジ部２０に螺合し、調整ナット部材１７の上部は連結用上側パイプ１６の第２ネジ部２１に螺合し、第１ネジ部２０と第２ネジ部２１とが逆ネジであるので、調整ナット部材１７を回動操作して突っ張り状態にするときの回動操作量を少なくすることができ、操作性に優れたものとなる。
【００４４】
第１高さ調節機構１８と第２高さ調節機構１９の何れか片方又は両方により高さ調節することができるため、高さ調節代が大きくなり、種々の高さの家具に適用できる汎用性に優れたものとなる。
【００４５】
基部ブロック７の下端面に下方へ突出する先端が尖った高さの小さな複数の突起部１０を設けたため、基部ブロック７が家具に対して相対的に移動しにくくなり、また、頂部ブロック７の上端面に上方へ突出する先端が尖った高さの小さな複数の突起部１４を設けたので、頂部ブロック１１が天井４に対して相対的に移動しにくくなるから、地震時にも家具転倒防止具１が家具２と天井４の間にセットされた所期の位置から外れることなとがないから、安定性が高まり、家具転倒防止の機能を確実に発揮する。
連結体６の連結用下側パイプ１５と連結用上側パイプ１６と調整ナット部材１７は、夫々、アルミダイキャスト品で構成したので、部材強度に優れ、意匠性に優れたものとなる。
調整ナット部材１７により第１，第２ネジ部２０，２１が覆われているため、ネジ部が露出しないから、意匠性に優れる。
【００４６】
次に、前記実施形態を部分的に変更する変更例について説明する。
１）前記実施例では、連結体６をアルミダイキャスト品で構成しているが、連結用下側パイプ１５、連結用上側パイプ１６、調整ナット部材１７の全部又は一部を鋼製としたり、強度に優れる合成樹脂で構成することも可能である。
２）前記実施例では、下側パイプ体８に連結用下側パイプ１５が挿入され、上側パイプ体１２に連結用上側パイプ１６が挿入された構成について説明したが、下側パイプ体８に下側パイプ１５が外装され、上側パイプ体１２に上側パイプ１６が外装された構成でもよい。
【００４７】
３）図５，６に示すように、連結体６の構造と、第１，第２ネジ部２０，２１の構造を変更する。即ち、下側パイプ２８の上端部分の内面に右ネジ穴からなる第１ネジ部２９が形成され、上側パイプ３０の下端部分の内面に左ネジ穴からなる第２ネジ部３１が形成され、回動操作部材３２の中段部には回動操作部３３が形成され、回動操作部材３２の下部には第１ネジ部２９に螺合した右ネジ軸部３４が形成され、回動操作部材３２の上部には第２ネジ部３１に螺合した左ネジ軸部３５が形成されている。回動操作部材３２を回動させることにより、下側パイプ２８と上側パイプ３０とを接近させたり離隔させたりすることができる。
【００４８】
４）その他、本考案は前記実施例に限定されるものではなく、当業者であれば、前記実施例に種々の変更を付加した形態で実施可能であり、本考案はそのような変更された種々の形態を包含するものである。
【図面の簡単な説明】
【００４９】
【図１】本考案の実施例に係る家具転倒防止具の使用状態を示す斜視図である。
【図２】家具転倒防止具の斜視図である。
【図３】家具転倒防止具の高さ位置調整前後の状態を示す斜視図である。
【図４】連結体と第１，第２高さ調節機構の断面図である。
【図５】本考案の変更例に係る家具転倒防止具の斜視図である。
【図６】右ネジ軸部と下側パイプ、左ネジ軸部と上側パイプの断面図である。
【符号の説明】
【００５０】
１                  家具転倒防止具
２                  家具
３                  下側逆門形体
４                  天井
５                  上側門形体
６                  連結体
７                  基部ブロック
８                  下側パイプ体
９，１３            補強板
１０，１４          突起部
１１                頂部ブロック
１２                上側パイプ体
１５                連結用下側パイプ
１６                連結用上側パイプ
１７                回動操作部材
１８                第１高さ調節機構
１９                第２高さ調節機構
２０                第１ネジ部
２１                第２ネジ部
２２                下側パイプ体のピン穴
２３                連結用下側パイプのピン穴
２４                ピン部材
２５                上側パイプ体のピン穴
２６                連結用上側パイプのピン穴
２７                ピン部材
【図１】
0003110162.tif 000003
【図２】
0003110162.tif 000004
【図３】
0003110162.tif 000005
【図４】
0003110162.tif 000006
【図５】
0003110162.tif 000007
【図６】
0003110162.tif 000008